(57)【特許請求の範囲】
【請求項１】
撮影レンズ鏡筒の外周に嵌められ、防水プロテクタに設けられたダイアルに連動して回動する複数の爪を有する爪車と噛み合って回動される撮影レンズ鏡筒回動用アダプタリングであって、
光軸周りの外周面上に並べられて上記爪車の爪と噛み合う第１の複数の突部と、
上記第１の複数の突部が並べられた上記外周面上の光軸周りの角度範囲外に上記第１の複数の突部と同一の複数の突部が設けられた第２の複数の突部と、
上記外周面上に、上記第１の複数の突部の並びの両端及び上記第２の複数の突部の並びのの両端に設けられ上記爪車の回動を制限するための回転制限突部と、
を有していることを特徴とする撮影レンズ鏡筒回動用アダプタリング。
【請求項２】
弾性変形可能なゴム状部材で成形されていることを特徴とする請求項１記載の撮影レンズ鏡筒の回動用アダプタリング。
【請求項３】
弾性変形可能なゴム状部材から一体成形されていることを特徴とする請求項１または２記載の撮影レンズ鏡筒の回動用アダプタリング。
【発明の詳細な説明】
【技術分野】
【０００１】
本発明は、撮影レンズ鏡筒の外周に嵌められ、外部からの操作によって撮影レンズ鏡筒の回転リングを回動させる撮影レンズ鏡筒回動用のアダプタリングに関する。
【背景技術】
【０００２】
近年、アウトドアスポーツの普及により、ダイビング時に水中の生物を撮影する水中写真愛好者が増加している。水中での撮影は、デジタルカメラなどのカメラに防水プロテクタ（防水ケース、防水ハウジング）を装着し、防水プロテクタに設けたボタン、ダイアルを介して防水プロテクタ内部のカメラのボタンを操作してなされる。
【０００３】
ズームレンズを装着した一眼レフカメラを水中撮影に使用する場合には、防水プロテクタ内の撮影レンズ（ズームレンズ）に設けられた回転リング、たとえばズームリングは、防水プロテクタに設けたダイアル（ズーム摘み）を介して操作、回動されている。図５は従来の撮影レンズ鏡筒回動用のアダプタリング３４０を示し、（Ａ）は平面図、（Ｂ）は正面図である。アダプタリング３４０は、ヒンジ部３４２で回動可能に連結された一対の半円形リング３４０Ｌ、３４０Ｒから構成され、半円形リング３４０Ｌ、３４０Ｒそれぞれに設けられた係合爪と係合突起とからなる係合部３４４が半円形リングの自由端（ヒンジ部でない他端）に設けられている。そして、防水プロテクタサイドの爪車と噛合可能な複数の突部３４０−１ａからなる突部群３４０−１が一対の半円形リングのいずれかの外周に回転リング周りに所定角度範囲で互いに等角的に配置されている。図示のアダプタリング３４０では、１５個の突起３４０−１ａが１４０度の角度範囲に等角的に配置されている。なお、ヒンジ部３４２、半円形リング３４０Ｌ、３４０Ｒなどの構成部材はいずれもプラスチックから成形され、係合部３４４の係合を解除すれば、半円形リング３４０Ｌ、３４０Ｒは、矢視方向に開放される。
【０００４】
撮影レンズ鏡筒（ズームレンズ）の回りに半円形リング３４０Ｌ、３４０４Ｒを被せてから、一方の半円形リングに形成された係合爪と他方の半円形リングに形成された係合突起爪とを係合させることによって、アダプタリング３４０は撮影レンズ鏡筒のズームリングの外周に嵌められる。
【０００５】
アダプタリング３４０は、防水プロテクタに設けたダイアル(ズーム摘み)によって回動される。図６は、ダイアルの爪車との噛み合いを示すアダプタリングの平面図を示し、（Ａ）は噛み合い前の平面図、（Ｂ）は噛み合った平面図である。ダイアル３２２は、大径のダイアルヘッド３２２−１と、ダイアルヘッドから伸びて防水プロテクタのフロントカバーの貫通孔４０Ｆａを挿通する軸部３２２−２と、軸部先端に取り付けられた爪車３２２−３とを備えて構成されている。ダイアルヘッド３２２−１は５弁の梅花形状に形成され、その突状部の外周には一連の滑り止め３２２−１ａが形成されている。爪車３２２−３は円板状に形成され、その外周近傍には軸部３２２−２の軸線方向に伸びた複数の爪３２２−３ａが軸部の軸周りに互いに等角的に設けられている。
【０００６】
撮影レンズ鏡筒の外周にアダプタリング３４０を嵌めたカメラは、図６（Ａ）に示すように、ダイアルヘッド３２２−１をＯＵＴ方向（撮影レンズ外周の径方向の外側に向う方向）に引いてアダプタリングの突部３４０−１ａとぶつからない位置に爪車の爪３２２−３ａを逃がしながら、防水プロテクタに収納される。そして、カメラの収納後、ダイアルヘッド３２２−１をＯＵＴ方向と逆の方向に押し込めば爪車の爪３２２−３ａがアダプタリングの突部３４０−１ａに噛み合される。撮影中においては、爪車の爪３２２−３ａがアダプタリングの突部３４０−１ａに噛み合されるため、ダイアルヘッド３２２−１を回動すれば、爪車３２２−３が回動され、爪車の回動に伴なって、アダプタリング３４０が撮影レンズ鏡筒のズームリングとともに回動して所望のズーム位置が設定される。
【０００７】
撮影中には、ダイアルヘッド３２２−１を左右に頻繁に回動させてズームレンズ（撮影レンズ鏡筒）の前進・後退が繰り返される。そして、爪車３２２−３が左右に回動されて、爪車の爪３２２−３ａがアダプタリングの突部３４０−１ａに繰り返し噛み合され、爪車の爪との噛み合せによって、アダプタリングの突部が磨耗しやすい。特に、爪車３２２−３が軽合金から成形されているのに対して、アダプタリング３４０は軽合金より強度の劣るプラスチックから成形されているため、アダプタリングの突部３４０−１ａの磨耗が激しい。そのため、アダプタリングの突部３４０−１ａの磨耗が進んで、ダイアルヘッド３２２−１を回動させて爪車３２２−３を回動させても、爪車の爪３２２−３ａがアダプタリングの突部３４０−１ａに噛み合わないで空回りする状態が生じる。
【０００８】
そして、爪車３２２−３の空回りが生じれば、ズームレンズ３４０は回動されず有効に機能しないから、水中での撮影は不可能となり、アダプタリングの予備を用意していなければ、ズームレンズを使用した撮影が継続できず、水中での撮影を中止せざるを得ない。
【発明の開示】
【発明が解決しようとする課題】
【０００９】
従来のアダプタリングにおいては、アダプタリングの突部が磨耗して爪車の空回りが生じると、アダプタリングの予備がなければ、水中撮影を継続できない。
【課題を解決するための手段】
【００１０】
本発明では、ズームレンズのズームリング等は回動範囲が通常１８０度未満であるから、爪車の爪に噛合される複数の突部に加えて、予備としての別の複数の突部（予備の突部）をアダプタリングの外周に設けるスペースが存在することに注目して、予備としての複数の突部を設けたことを特徴としている。
すなわち、本発明によれば、撮影レンズ鏡筒の外周に嵌められ、防水プロテクタに設けられたダイアルに連動して回動する複数の爪を有する爪車と噛み合って回動される撮影レンズ鏡筒回動用アダプタリングであって、光軸周りの外周面上に並べられて上記爪車の爪と噛み合う第１の複数の突部と、上記第１の複数の突部が並べられた上記外周面上の光軸周りの角度範囲外に上記第１の複数の突部と同一の複数の突部が設けられた第２の複数の突部と、上記外周面上に、上記第１の複数の突部の並びの両端及び上記第２の複数の突部の並びのの両端に設けられ上記爪車の回動を制限するための回転制限突部と、を有していることを特徴としている。
【発明の効果】
【００１１】
本発明では、爪車の爪と噛み合い可能な複数の突部の予備がアダプタリングに設けられているため、爪車の爪と噛み合う複数の突部が磨耗して爪車が空回りすれば、アダプタリングを撮影レンズ鏡筒の回転リングから一旦外し、複数の突部の予備が爪車の爪と噛み合うようにアダプタリングをセットしなおすことにより、撮影が継続して可能となる。つまり、予備のアダプタリングがなくても、使用中のアダプタリング自体が予備のものとして利用でき、アダプタリングのセット時間を除けば、水中撮影が継続して行なえる。
【００１２】
弾性変形可能なゴム状部材からアダプタリングを成形すれば、ゴムの成形金型はプラスチックの成形金型より安価であるため、従来のプラスチックのアダプタリングよりも安価に生産できる。また、撮影レンズ鏡筒の回転リングに弾性のもとで嵌められるから、アダプタリングが一体成形でき、１点物となるから、構成部品の点数が激減し、この点からもアダプタリングが安価に得られる。
【００１３】
また、回転制限突部をそれぞれの複数の突部の並びの両端に設けて爪車によるアダプタリングの回動を制限すれば、使用中の複数の突部から複数の突部の予備を隔離できる。
【発明を実施するための最良の形態】
【００１４】
複数の突部の予備がアダプタリングそれ自体に設けられるため、爪車を空回りさせるほどアダプタリングの突部が磨耗しても、複数の突部の予備が爪車の爪に噛み合うようにアダプタリングをセットしなおせば、水中での撮影が継続して行なえる。
【実施例】
【００１５】
図１、図２を参照しながら本発明の一実施例に係る撮影レンズ鏡筒回動用アダプタリングについて説明する。ここで、図１は、本発明の一実施例に係るアダプタリングの装着されたカメラを防水プロテクタに収納した水中カメラシステムの分解斜視図、図２は水中カメラシステムを示し、（Ａ）は水中カメラシステムの光軸に沿った防水プロテクタの横断面図、（Ｂ）は防水プロテクタのリアカバー、カメラを省略した水中カメラシステムの概略背面図である。なお、図２は防水プロテクタサイドの爪車と撮影レンズ鏡筒上のアダプタリングとの噛み合いを示すことのみを目的としており、噛み合いと無関係な部材は図面の複雑化を避けるために省略されている。
【００１６】
図１、図２に示すように、水中カメラシステム１０は、防水プロテクタ（防水ケース、防水ハウジング）２０とカメラ３０とを有し、防水プロテクタ２０は、フロントカバー２０Ｆと、フロントカバー端面のオーリング２０ａを介してフロントカバーと液密に連結されるリアカバー２０Ｒとに分割されてポリカーボネートなどの透明プラスチックから成形され、カメラ３０が防水プロテクタ２０の内部に収納、防水されている。
【００１７】
カメラ３０は、たとえば、交換可能な撮影レンズ３２をカメラ本体３４のボデーマウン３４ａに装着した一眼レフカメラからなり、撮影レンズはともに回転リングであるフォーカスリング３２ａ、ズームリング３２ｂを持つズームレンズ（撮影レンズ鏡筒）であり、本発明に係るアダプタリング４０が撮影レンズ３２（ズームレンズ、撮影レンズ鏡筒）のレンズマウント側後方よりズームリングに嵌められ、アダプタリングを回動することによってズームリングが回動されて、望遠、広角のズーム撮影がなされる。
【００１８】
防水プロテクタのフロントカバー２０Ｆの、被写体側より見て、右側面には、アダプタリング４０を回動させるためのダイアル（ズーム摘み）２２が設けられている。このダイアル２２は、大径のダイアルヘッド２２−１と、ダイアルヘッドから伸びてフロントカバー２０Ｆの側壁面の貫通孔２０Ｆａをスライド可能に挿通する軸部２２−２と、軸部先端に取り付けられた爪車２２−３とを備えて構成されている。なお、軸部２２−２の回りには、液密用のオーリング（図示しない）が巻装されている。ダイアルヘッド２２−１は５弁の梅花形状に形成され、その突状部の外周には一連の滑り止め２２−１ａが形成されている。そして、爪車３２２−３は円板状に形成され、その外周近傍には上記軸部の軸線方向に伸びた複数の爪３２２−３ａが上記軸部の軸周りに互いに等角的に設けられている。そして、軸部２２−２の軸中心は後述するアダプタリングの突部の円弧状移動軌跡から外れた位置に、かつズームリング３２ｂの回動軸に対し略直角に配置されている（図２（Ａ）参照）。
なお、フロントカバー２０Ｆの上面にはレリーズボタン２４が設けられている。図示のダイアル２２、レリーズボタン２４以外にも多数のボタン、ダイアルが防水プロテクタ２０に設けられ、防水プロテクタのダイアル、ボタンを操作することによって、カメラサイドの対応するボタンを操作させて、水中での撮影がなされる。しかし、図面の複雑化を避けるために、ダイアル２２、レリーズボタン２４を除く防水プロテクタのボタン、ダイアルは省略されている。
【００１９】
図３、図４はアダプタリング４０を示し、図３は斜視図、図４（Ａ１）（Ａ２）はアダプタリングの平面図（カメラ撮像面側から被写体側の方向を見た図）、図４（Ｂ）は（Ａ１）の線Ｂ−Ｂに沿った断面図である。
図３、図４に示すように、アダプタリング４０は、所定の角度範囲、たとえば、１１０度の範囲にそれぞれ配置された複数、たとえば、１２個の第１の突部４０−１ａからなる第１の突部群４０−１と、上記所定角度範囲外で１１０度の角度範囲にそれぞれ配置された１２個の第２の突部４０−２ａからなる第２の突部群４０−２とをその外周に有した鍔４０ａ付形状とされ、ストッパである第１、第２の回転制限突部４０−１ｂ、４０−２ｂがそれぞれの並びの両端に形成されている。さらに、第１、第２の位置決めマーク４０−１ｃ、４０−２ｃが回転制限突部４０−１ｂ、４０−２ｂの間でアダプタリング４０の外周に形成されている。
なお、第１の突部４０−１ａは第２の突部４０−２ａと、第１の回転制限突部４０−１ｂは第２の回転制限突部４０−２ｂと、第１の位置決めマーク４０−１ｃは第２の位置決めマーク４０−２ｃとそれぞれ同一形状であり、アダプタリング４０には、１２個の突部、２個の回転制限突部、１個の位置決めマークからなる同じ組み合わせが２組設けられていることとなる。
【００２０】
撮影レンズ鏡筒（ズームレンズ）３２へのアダプタリング４０の装着、防水プロテクタへのカメラの収納は、たとえば以下のようにしてなされる。
すなわち、アダプタリング４０は、第１の位置決めマーク４０−１ｃを撮影レンズ鏡筒（撮影レンズ）３２の対応する指標、たとえば、撮影レンズのズームリング上面側にあるズーム値を表す数字列の中の中間値を示す数字に合致させ、その鍔４０ａが撮影レンズ鏡筒（撮影レンズ）３２の縁に係止されるまで撮影レンズ鏡筒に嵌められる。こうして第１の突部４０−１ａからなる第１の突部群４０−１が防水プロテクタサイドの爪車の爪２２−３ａと噛み合い可能な位置に配置される。それから、アダプタリング付の撮影レンズ鏡筒３２がカメラ本体のボデイマウント３４ａに装着され、カメラ３０を防水プロテクタのフロントカバー２０Ｆに入れてからリアカバー２０Ｒをフロントカバーの後から被せ、フロントカバーに固定することによって、カメラが防水プロテクタ２０に収納、防水される。
【００２１】
アダプタリング４０は、弾性変形可能なゴム状部材、たとえば、ゴム硬度８０度のゴム状部材から成形されており、ゴムの成形金型はプラスチックの成形金型より安価であるため、アダプタリング４０は従来のプラスチックのアダプタリングよりも安価に生産できる。
【００２２】
弾性変形可能なゴム状部材からなるアダプタリング４０は撮影レンズ鏡筒３２に弾性変形のもとで嵌められるから、アダプタリングが一体成形でき、１点物となるから、一体成形の困難なプラスチックのアダプタリングと比較して構成部品の点数が激減し、この点からもアダプタリング４０が安価に生産できる。また、アダプタリング４０が弾性変形可能であるため、撮影レンズ鏡筒３２の組み立て誤差やアダプタリングの成形誤差を従来ほど厳格に管理する必要がない。
【００２３】
第１の突部４０−１ａの両端に設けられた回転制限突部４０−１ｂには、爪車の爪２２−３ａが乗り上げて、ダイアルヘッド２２−１、爪車２２−３の回動が不能となり、爪車の回動が規制される。そのため、爪車の爪２２−３ａが第１の突部４０−１ａと噛み合う位置に配置されていれば、第２の突部４０−２ａは爪車の爪から隔離され、爪車の爪と誤って噛み合うことはないから、不使用時に磨耗することはない。
【００２４】
爪車の爪２２−３ａとの噛み合いによって使用中の第１の突部４０−１ａが磨耗して、爪車２２−３に空回りが生じれば、予備として待機する第２の突部４０−２ａが爪車の爪と噛み合うように、アダプタリング４０が再セットされる。
すなわち、爪車２２−３が空回りするようになれば、水中から一旦出て、防水プロテクタ２０を分解してカメラ３０を取り出す。カメラ３０を取り出す際には、ダイアルヘッド２２−１を図３（Ｂ）のＯｕｔ方向に引いて爪車の爪２２−３ａは突部４０−１ａと噛み合わない位置に逃がされる。アダプタリング４０を撮影レンズ鏡筒（ズームレンズ）３２から抜き取り、ズームリング３２ｂに対して１８０度回転させ、第２の位置決めマーク４０−２ｃを撮影レンズ鏡筒３２の対応する上述の指標に合致させて、アダプタリングのフランジ４０ａがズームリング３２ｂの端部に当接するまで、アダプタリング４０がズームリング（撮影レンズ鏡筒）に嵌められる。
【００２５】
そして、Ｉｎ方向にダイアルヘッド２２−１を押し込めば、図４（Ａ２）に示すように、爪車の爪２２−３ａが第２の突部４０−２ａに噛み合わされるから、ダイアルヘッド２２−１を回動して爪車２２−３を回動させれば、爪車の爪２２−３ａと第２の突部４０−２ａとの噛み合いによって、アダプタリング４０が回動され、ズームリング３２ｂが所望位置に回動されて、ズーム撮影が可能となる。
【００２６】
なお、実施例では、爪車の爪２２−３ａと噛み合う複数の突部からなる突部群として、第１、第２の突部４０−１ａ、４０−２ａからなる第１、第２の突起群４０−１、４０−２をアダプタリング４０に設けている。しかしながら、突部群の数は、２つに限定されず、ズームリング３２ｂの回動範囲が小さければ、３つ以上の突部群をアダプタリング４０に設けてもよい。そして、突部群の数が多ければ多いほど、セットを繰り返して１つのアダプタリングが長期間連続して利用でき、予備のアダプタリングなしで、水中での撮影が継続して行なえる。
また、第１、第２の突部群４０−１、４０−２は本実施例では互いに等角度に配置されているが、互いの突部群同士は不等間隔でアダプタリング外周に配置されていてもよい。もちろん一つの突部群内の突部同士４０−１ａ、４０−２ａは爪車２２−３の駆動を受けなければならないので等間隔に配置されている。
【００２７】
上記のように本発明によれば、爪車の爪に噛み合う複数の突部からなる突部群が複数組設けられ、予備の突部群が待機しているため、突部が磨耗しても、１つのアダプタリング自体が予備のものとして繰り返し利用でき、予備のアダプタリングなしで、水中での撮影が継続して行なえる。
また、本発明のアダプタリングは撮影レンズのズームリングに適用した例を示したが、そのほかの回転リング、たとえばフォーカシング用のリングに適用してもよい。
尚、上述中の「回動」という文言は「回転」という文言と同一の意味を有する。
【産業上の利用可能性】
【００２８】
本発明は、撮影レンズ鏡筒（ズームレンズ）を使用する水中撮影において広範囲に応用できる。
【図面の簡単な説明】
【００２９】
【図１】本発明の一実施例に係るアダプタリングの装着されたカメラを防水プロテクタに収納した水中カメラシステムの分解斜視図を示す。
【図２】水中カメラシステムを示し、（Ａ）は水中カメラシステムの光軸に沿った防水プロテクタの横断面図、（Ｂ）は防水プロテクタのリアカバー、カメラを省略した水中カメラシステムの概略背面図である。
【図３】本発明の一実施例に係るアダプタリングの斜視図を示す。
【図４】本発明の一実施例に係るアダプタリングを示し、（Ａ１）(Ａ２)は第１、第２の位置決めマークを撮影レンズ鏡筒の対応する指標にそれぞれ整列させた場合の平面図、（Ｂ）は（Ａ−１）の線Ｂ−Ｂに沿った断面図である。
【図５】従来の撮影レンズ鏡筒回動用のアダプタリングを示し、（Ａ）は平面図、（Ｂ）は正面図である。
【図６】ダイアルの爪車との噛み合いを示すアダプタリングの平面図を示し、（Ａ）は噛み合い前の平面図、（Ｂ）は噛み合った平面図である。
【符号の説明】
【００３０】
１０      水中撮影システム
２０      防水プロテクタ
２０Ｆ、２０Ｒ   防水プロテクタのフロントカバー、リアカバー
２２      ダイアル（ズーム摘み）
２２−１  ダイアルヘッド
２２−２  軸部
２２−３  爪車
２２−３ａ  爪車の爪
３０      カメラ（一眼レフカメラ）
３２      撮影レンズ（ズームレンズ、撮影レンズ鏡筒）
３２ａ、３２ｂ   フォーカスリング、ズームリング
４０      撮影レンズ鏡筒回動用アダプタリング
４０−１、４０−２             第１、第２の突部群
４０−１ａ、４０−２ａ  第１、第２の複数の突部
４０−１ｂ、４０−２ｂ  第１、第２の回転規制部（ストッパ）
４０−１ｃ、４０−２ｃ  第１、第２の位置決めマーク
【図１】
0004758162.tif 000002
【図２】
0004758162.tif 000003
【図３】
0004758162.tif 000004
【図４】
0004758162.tif 000005
【図５】
0004758162.tif 000006
【図６】
0004758162.tif 000007